(57)【要約】箔押し、ブロッキング、加圧あるいはロールの適用により証書などの対象物に付着される柔軟な箔またはラベルであって、キャリア層、任意の剥離層、保護層、場所により異なる永久構造磁気特性を有する磁気材料からなる磁気層、及び任意の接着剤層、からなるかこれらを含み、前記柔軟な箔が、キャリア層及び／もしくは保護層、及び／もしくは磁気層に形成される光学的な回析構造を有する。柔軟な箔は、回析構造の可視性を向上させるため金属層などの反射層を有してもよい。【選択図】図１
2004506948.tif 000002
【特許請求の範囲】
【請求項１】
箔押し、ブロッキングあるいはロールの適用により証書などの対象物に付着される柔軟な箔であって、キャリア層、任意の剥離層、保護層、場所により異なる永久構造磁気特性を有する磁気材料からなる磁気層、及び任意の接着剤層、からなるかこれらを含み、前記柔軟な箔が、キャリア層及び／もしくは保護層、及び／もしくは磁気層に形成される光学的な回析構造（ｄｉｆｆｒａｃｔｉｖｅ　ｓｔｒｕｃｔｕｒｅ）を有することを特徴とする柔軟な箔。
【請求項２】
回析構造の可視性を向上させるため反射層を有する請求項１記載の柔軟な箔。
【請求項３】
反射層が金属からなる請求項２記載の柔軟な箔。
【請求項４】
圧力あるいはロールの適用により証書などの対象物に付着される柔軟なラベルであって、基体層、場所により異なる永久構造磁気特性を有する磁気材料からなる磁気層、及び接着剤層、からなるかこれらを含み、前記柔軟なラベルが、基体層に形成される光学的な回析構造を有することを特徴とする柔軟なラベル。
【請求項５】
圧力あるいはロールの適用により証書などの対象物に付着される柔軟なラベルであって、基体層、場所により異なる永久構造磁気特性を有する磁気材料からなる磁気層、及び接着剤層、からなるかこれらを含み、前記柔軟なラベルが、磁気層に形成される光学的な回析構造を有することを特徴とする柔軟なラベル。
【請求項６】
回析構造の可視性を向上させるため反射層を有する請求項４もしくは５記載の柔軟なラベル。
【請求項７】
反射層が金属からなる請求項６記載の柔軟なラベル。
【請求項８】
接着剤層が感圧接着剤層である請求項４、５、６もしくは７記載の柔軟なラベル。
【請求項９】
接着剤層が磁気層の光学的な回析構造を有する側に対して反射側に設けられている請求項４乃至８のいずれか１項記載の柔軟なラベル。
【発明の詳細な説明】
【０００１】
本発明は、光学的な回析構造（ｄｉｆｆｒａｃｔｉｖｅ　ｓｔｒｕｃｔｕｒｅ）を有する柔軟な磁性箔あるいはラベルに関する。更に特定すると、本発明はこれに限定されるものではないが、例えばチケット、株式証書、銀行券、クレジットカードなどの対象物に保証要素を付着するためのエンボス箔に関する。
【０００２】
磁気記憶メディアやホログラムを有するエンボス箔は米国特許第４、６３１、２２２号及び４、６８４、７９５号に記載されている。このような箔は、磁気記憶メディアに記憶されるデータが安全でない、という難点を有する。
【０００３】
本発明は、例えば価値のある証書に保持される、より安全な箔を提供することを目的とする。
【０００４】
本発明の一つの面では、特許請求の範囲に特定されるような柔軟な磁性箔あるいはラベルが提供される。
【０００５】
以下に本発明を添付の概略図面を参照しつつ、実施例のみにより説明する。
【０００６】
図１は、例えば証書などの対象物に箔押し、ブロッキングあるいはロールの適用により付着される、本発明による柔軟な箔の横断面図である。この箔は、典型的には１５ミクロンの厚さのポリエステルからなるキャリア層（１）、剥離層（２）、この例ではラッカー層１０及び１１からなる保護層（３）、場所により異なる永久構造磁気特性を有する磁気材料からなる磁気層（４）、及び接着剤層（５）、からなるか、これらを含む。この柔軟な箔は、エンボス加工により保護層内に形成される光学的な回析構造（ｄｉｆｆｒａｃｔｉｖｅ　ｓｔｒｕｃｔｕｒｅ）を有する。
【０００７】
この実施態様における磁気層（４）は、例えば、この引用により開示に含まれる米国特許第４、０２３、２０４号に記載される方法により製造することができる。この方法によれば、たとえばポリエステルフィルムなどの柔軟な基体は、一般的にランダムな配向性を有する異方性磁気材料（例えば針状の酸化第二鉄の粒子）の液体スラリーで被覆される。被覆された基体は、基体の移動方向に対して斜角をなす第一永久磁石を超えて移動する。このことにより粒子が配向する。被覆された基体は、電磁石であり従って制御可能に変動する磁界を生成する別の磁石を超えて移動する。この磁石は、第一磁石の方向と斜角をなすように配置されている。前記別の磁石により生成される磁界の強度を変えることにより、粒子は異なる方向に配向する。次いでスラリーを固化させて粒子を固定する。この構成により、被覆体の磁気特性は基体の幅方向に一定であるが、基体の移動方向に対しては変化があることに注意されるべきである。次いで基体にはその長さ方向に切り目をいれる（則ち磁気テープを薄い長さとするよう、矢印方向）。
【０００８】
図１に示す箔は以下のように形成される。剥離層（２）がキャリア層（１）に被覆され、次いで第一ラッカー層（１０）が塗布され乾燥される。この層は次に光学的な回析構造（９）を持つようエンボス加工され、次いで金属化されて反射層（１２）を生じ、それにより対象物に付着させた後可視性が向上するようにする。第二ラッカー層（１１）が塗布され乾燥され、次いで磁気層（４）が例えば米国特許第４、０２３、２０４号に記載されるようにして形成され、最後にホットメルト接着剤層（５）が塗布されて完成した箔を得る。
【０００９】
上記の実施態様では、保護層は基体上に形成させた後エンボス加工されるけれども、その代替例として、保護層を基体上に形成する前にエンボス加工してもよい。図１の反射層（１２）は、剥離層及び層（１１）と同様に任意的なものである。
【００１０】
本発明の第二の実施態様は図２に示されている。図２に示す箔は以下のようにして形成される。第一ラッカー層（１０）が基体（１）に塗布され乾燥される。次いで磁気層（４）が例えば米国特許第４、０２３、２０４号に記載されるようにして形成される。磁気層は光学的な回析構造（９）を持つようエンボス加工され、次いで上記と同様に金属化される。第二ラッカー層（１１）が塗布され乾燥され、最後に基体を含む組合体全体を対象物に対して積層して付着させる。
【００１１】
本発明の第三の実施態様は図３に示されている。図３に示すラベルは以下のようにして形成される。ポリエステルフィルム（２０）のような基体が光学的な回析構造（２１）を持つようエンボス加工され、上記と同様に金属化される（１２）。ラッカー層（１１）が塗布され乾燥される。次いで磁気層（４）が例えば米国特許第４、０２３、２０４号に記載されるようにして形成される。最後に感圧接着剤層（２３）が塗布され、剥離処理されたキャリア層（１）がラベルの光学的な反射構造の側に対して対向側に加えられる。この実施態様では、ポリエステル層（１）はキャリア層ではなく、ラベルの一体的な部分であることに注意すべきである。
【００１２】
第二及び第三実施態様の両方において、エンボス段階の直前に光学的ラッカー層を塗布することができる。このラッカー層は、回析構造あるいはホログラムの明るさ、あるいはエンボス工程のスループットを改善するため、最適であるようにすることができる。
【図面の簡単な説明】
【図１】
本発明による柔軟な箔の横断面図である。
【図２】
本発明による第二の柔軟な箔の横断面図である。
【図３】
本発明による柔軟な接着剤ラベルの横断面図である。
【符号の説明】
１…キャリア層
２…剥離層
３…保護層
４…磁気層
５…接着剤層
９…光学的な回析構造
１２…反射層
２３…感圧接着剤層
【国際公開パンフレット】
2004506948.tif 000003
2004506948.tif 000004
2004506948.tif 000005
2004506948.tif 000006
2004506948.tif 000007
2004506948.tif 000008
2004506948.tif 000009
【国際調査報告】
2004506948.tif 000010
2004506948.tif 000011